(57)【要約】【課題】空調機器を停止させた後であっても空調機器を動作させたことによる効果をユーザに知らせることができる情報配信システム、情報配信方法及びプログラムを提供する。【解決手段】情報配信システム１０は、第１取得部１５と、第２取得部１６と、生成部１８と、出力部（第２通信部１４）とを備える。第１取得部１５は、空調機器が設けられた部屋の温度を取得する。第２取得部１６は、空調機器の動作状態を取得する。生成部１８は、所定期間において第１取得部１５で取得された温度と第２取得部１６で取得された空調機器の動作状態とに基づいて、表示情報を生成する。表示情報は、情報端末装置の表示部に表示させる表示画面の情報であって所定期間における部屋の温度変化と所定期間における空調機器の動作状態とを含む。出力部は、表示情報を出力する。【選択図】図１
2018004200.tif 000002
【特許請求の範囲】
【請求項１】
需要家施設内であって空調機器が設けられた部屋の温度を取得する第１取得部と、
前記空調機器の動作状態を取得する第２取得部と、
情報端末装置の表示部に表示させる表示画面の情報であって所定期間における前記部屋の温度変化と前記所定期間における前記空調機器の前記動作状態とを含む表示情報を、前記所定期間において前記第１取得部で取得された前記温度と、前記所定期間において前記第２取得部で取得された前記空調機器の動作状態とに基づいて生成する生成部と、
前記生成部で生成された前記表示情報を出力する出力部とを備える
ことを特徴とする情報配信システム。
【請求項２】
前記第１取得部は、さらに、前記部屋の湿度を取得し、
前記生成部は、前記所定期間における前記部屋の湿度変化を、さらに含む前記表示情報を生成する
ことを特徴とする請求項１に記載の情報配信システム。
【請求項３】
前記生成部は、前記第１取得部で取得された温度及び湿度に応じた不快指数を、さらに含む前記表示情報を生成する
ことを特徴とする請求項２に記載の情報配信システム。
【請求項４】
前記生成部は、前記空調機器の設定温度を、さらに含む前記表示情報を生成する
ことを特徴とする請求項１〜３のいずれか一項に記載の情報配信システム。
【請求項５】
前記空調機器の状態は、前記空調機器が動作しているオン状態及び前記空調機器が停止しているオフ状態のいずれかの状態であり、
前記第２取得部は、前記空調機器の消費電力量が所定の閾値を超えている場合には前記オン状態を前記動作状態として取得し、前記空調機器の消費電力量が前記閾値を超えていない場合には前記オフ状態を前記動作状態として取得する
ことを特徴とする請求項１〜４のいずれか一項に記載の情報配信システム。
【請求項６】
前記表示情報は、グラフで前記温度変化を前記表示部に表示させるための情報であり、
前記生成部は、前記所定期間のうち前記動作状態が前記オン状態であるオン状態期間と、前記所定期間のうち前記動作状態が前記オフ状態であるオフ状態期間とで、前記グラフを表示させる際の表示態様を変更するための情報を、前記表示情報に含める
ことを特徴とする請求項５に記載の情報配信システム。
【請求項７】
前記第１取得部は、さらに、前記需要家施設外の外部温度を取得し、
前記生成部は、前記所定期間において前記第１取得部で取得された前記外部温度に基づいた前記所定期間における前記需要家施設外の温度変化を、さらに含む前記表示情報を生成する
ことを特徴とする請求項１〜６のいずれか一項に記載の情報配信システム。
【請求項８】
前記出力部は、さらに、前記所定期間における前記部屋の温度変化と、前記所定期間における前記空調機器の動作状態とに基づいた前記空調機器の動作に関するアドバイスを出力する
ことを特徴とする請求項１〜７のいずれか一項に記載の情報配信システム。
【請求項９】
情報端末装置に情報を表示させる情報配信方法であって、
需要家施設内であって空調機器が設けられた部屋の温度を取得する第１取得ステップと、
前記空調機器の動作状態を取得する第２取得ステップと、
情報端末装置の表示部に表示させる表示画面の情報であって所定期間における前記部屋の温度変化と前記所定期間における前記空調機器の前記動作状態とを含む表示情報を、前記所定期間において前記第１取得ステップで取得された前記温度と、前記第２取得ステップで取得された前記空調機器の動作状態とに基づいて生成する生成ステップと、
前記生成ステップで生成された前記表示情報を出力する出力ステップとを含む
ことを特徴とする情報配信方法。
【請求項１０】
コンピュータに、
需要家施設内であって空調機器が設けられた部屋の温度を取得する第１取得ステップと、
前記空調機器の動作状態を取得する第２取得ステップと、
情報端末装置の表示部に表示させる表示画面の情報であって所定期間における前記部屋の温度変化と前記所定期間における前記空調機器の前記動作状態とを含む表示情報を、前記所定期間において前記第１取得ステップで取得された前記温度と、前記第２取得ステップで取得された前記空調機器の動作状態とに基づいて生成する生成ステップと、
前記生成ステップで生成された前記表示情報を出力する出力ステップとを実行させるためのプログラム。
【発明の詳細な説明】
【技術分野】
【０００１】
本発明は、情報配信システム、情報配信方法及びプログラムに関し、より詳細には、空調機器に関する情報を生成し、出力する情報配信システム、情報配信方法及びプログラムに関する。
【背景技術】
【０００２】
従来、例えば、エアコン（空調機器）等の家電機器の動作に基づく情報を生成し、提供する技術がある（例えば、特許文献１）。
【０００３】
特許文献１では、エアコン（空調機器）が動作を開始した時点から室内温度が設定温度に到達するまでの到達時間の変化の傾向を表す表示データを生成し、提供するデータ提供方法が記載されている。
【０００４】
特許文献１に記載されたデータ提供方法を用いることで、ユーザは、どのくらいの時間で室内温度が設定温度に到達したかといった情報を得ることができる。つまり、エアコンの動作中の効果を知ることができる。
【先行技術文献】
【特許文献】
【０００５】
【特許文献１】ＷＯ２０１４／１７１１１８号公報
【発明の概要】
【発明が解決しようとする課題】
【０００６】
特許文献１のデータ提供方法では、上述したように、ユーザはエアコン（空調機器）の動作中の効果を知ることはできる。しかしながら、エアコンの動作を停止させた後、エアコンを動作させたことによる効果を知ることができない。例えば、エアコンの暖房機能で部屋を暖めた後でエアコンを停止した場合であれば、ユーザは保温効果を知ることはできない。
【０００７】
本発明は上記事由に鑑みてなされており、空調機器を停止させた後であっても空調機器を動作させたことによる効果をユーザに通知可能な情報配信システム、情報配信方法及びプログラムを提供することを目的とする。
【課題を解決するための手段】
【０００８】
本発明の一態様に係る情報配信システムは、第１取得部と、第２取得部と、生成部と、出力部とを備える。前記第１取得部は、需要家施設内であって空調機器が設けられた部屋の温度を取得する。前記第２取得部は、前記空調機器の動作状態を取得する。前記生成部は、情報端末装置の表示部に表示させる表示画面の情報であって所定期間における前記部屋の温度変化と前記所定期間における前記空調機器の前記動作状態とを含む表示情報を、前記所定期間において前記第１取得部で取得された前記温度と、前記所定期間において前記第２取得部で取得された前記空調機器の動作状態とに基づいて生成する。前記出力部は、前記生成部で生成された前記表示情報を出力する。
【０００９】
本発明の一態様に係る情報配信方法は、情報端末装置に情報を表示させる情報配信方法である。前記情報配信方法は、第１取得ステップと、第２取得ステップと、生成ステップと、出力ステップとを含む。前記第１取得ステップは、需要家施設内であって空調機器が設けられた部屋の温度を取得する。前記第２取得ステップは、前記空調機器の動作状態を取得する。前記生成ステップは、情報端末装置の表示部に表示させる表示画面の情報であって所定期間における前記部屋の温度変化と前記所定期間における前記空調機器の前記動作状態とを含む表示情報を、前記所定期間において前記第１取得ステップで取得された前記温度と、前記第２取得ステップで取得された前記空調機器の動作状態とに基づいて生成する。前記出力ステップは、前記生成ステップで生成された前記表示情報を出力する。
【００１０】
本発明の一態様に係るプログラムは、コンピュータに、第１取得ステップと、第２取得ステップと、生成ステップと、出力ステップとを実行させるためのプログラムである。前記第１取得ステップは、需要家施設内であって空調機器が設けられた部屋の温度を取得する。前記第２取得ステップは、前記空調機器の動作状態を取得する。前記生成ステップは、情報端末装置の表示部に表示させる表示画面の情報であって所定期間における前記部屋の温度変化と前記所定期間における前記空調機器の前記動作状態とを含む表示情報を、前記所定期間において前記第１取得ステップで取得された前記温度と、前記第２取得ステップで取得された前記空調機器の動作状態とに基づいて生成する。前記出力ステップは、前記生成ステップで生成された前記表示情報を出力する。
【発明の効果】
【００１１】
この発明によると、空調機器を停止させた後であっても空調機器を動作させたことによる効果をユーザに通知可能とすることができる。
【図面の簡単な説明】
【００１２】
【図１】図１は、本発明の一実施形態に係る情報配信システム（コントローラ）のブロック図である。
【図２】図２は、同上の情報配信システムを含む全体構成を示すシステム構成図である。
【図３】図３は、同上の情報配信システムの出力先である表示システム（情報端末装置）の構成を示すブロック図である。
【図４】図４は、同上の情報配信システムの出力先である表示システムで表示される表示画面の説明図である。
【図５】図５は、同上の情報配信システムの変形例に係るシステム構成図である。
【発明を実施するための形態】
【００１３】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計等に応じて種々の変更が可能である。
【００１４】
（実施形態）
（１）全体概要
本実施形態では、需要家の施設（facility）内の部屋に設けられた空調機器による当該部屋の温度変化及び湿度変換と、空調機器の動作状態とを含む表示情報を作成して出力する機能を、基本的な機能として有する情報配信システムについて説明する。本実施形態においては、情報配信システム１０は、図１、図２に示すようにコントローラ１にて構成されている。
【００１５】
コントローラ１は、図２に示すように、需要家施設５に設けられた計測システム２０から需要家施設５における電力の消費データ（消費電力量）を取得する。具体的には、計測システム２０は、需要家施設５における複数の分岐回路７０の各々について、消費電力量を消費データとして計測するシステムである。需要家施設５における複数の分岐回路７０の各々には負荷機器６３が接続されている。負荷機器６３は、例えば需要家施設５に設けられた機器であり、電力を消費する電気機器である。負荷機器６３は、例えば空調機器（エアコンディショナ）６３ａ、照明器具、洗濯機、食器洗浄機、給湯機、調理家電等である。
【００１６】
ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設５の一例として説明する。
【００１７】
コントローラ１は、計測システム２０によって計測された空調機器６３ａの消費電力量に基づいて、空調機器６３ａが動作しているオン状態と空調機器６３ａが停止しているオフ状態とのいずれかを逐次取得する。また、コントローラ１は、空調機器６３ａが設けられた部屋５ａの所定期間における温度変化及び湿度変化と、当該所定期間における空調機器６３ａの動作状態と、空調機器６３ａの設定温度とを表示システム３０としての情報端末装置３の表示部３１に表示させる。これにより、情報端末装置３は、所定期間における需要家施設５の温度変化、湿度変化、空調機器６３ａの設定温度及び空調機器６３ａの動作状態を、情報端末装置３の所有者である顧客に対して提示することが可能となる。つまり、顧客は、情報端末装置３に表示される画面を見ることで、視覚的に、所定期間における需要家施設５での温度変化、湿度変化、設定温度及び空調機器６３ａの動作状態を確認することができる。
【００１８】
情報配信システム１０によるサービスの提供を受ける顧客（情報端末装置３の使用者）は、住人（需要家施設５の使用者）と同一人である。ここで、「需要家施設５の使用者」は、需要家施設５を使用する人を意味しており、需要家施設５が住宅である本実施形態においては、需要家施設５の住人である。また、需要家施設５の住人が複数人である場合には、「需要家施設５の使用者」は、複数の住人のうちの一人を指すこともあり、二人以上（全員も含む）を指すこともある。以下では「需要家施設５の使用者」を単に「住人」ともいう。
【００１９】
（２）構成
次に、本実施形態に係る情報配信システム１０、計測システム２０、及び表示システム３０の構成について説明する。
【００２０】
（２．１）計測システム
先ず、本実施形態の計測システム２０の構成について説明する。
【００２１】
計測システム２０は、図２に示すように、計測ユニット２１と、通信アダプタ２２と、電流センサ２３，２４とを備えている。このうち、計測ユニット２１、通信アダプタ２２、及び電流センサ２３，２４は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００２２】
計測ユニット２１は、電流センサ２３，２４に電気的に接続されている。電流センサ２３は、主幹ブレーカ６１の一次側に設けられ、幹線を流れる電流の値を計測する。複数の電流センサ２４は、複数の分岐ブレーカ６２に対応して設けられ、複数の分岐回路７０に流れる電流の値をそれぞれ計測する。ここでいう「分岐回路」は、複数の分岐ブレーカ６２にて幹線から分岐された各回路を意味する。分岐回路７０には、分岐ブレーカ６２に接続される配線、照明器具や調理家電等の負荷機器６３、コンセント（アウトレット）、壁スイッチなどを含んでいる。このような分岐回路７０は、本実施形態のように住宅からなる需要家施設５においては、例えばリビング、寝室、玄関、トイレ、子供部屋、キッチン等の部屋ごと、かつ空調機器６３ａ、照明器具、調理家電等の機器の種類ごとに設けられる。１つの分岐回路７０には、１つの負荷機器６３が含まれてもよいし、複数の負荷機器６３が含まれてもよい。
【００２３】
計測ユニット２１は、電流センサ２３，２４の出力を用いて、幹線及び複数の分岐回路７０の各々について、消費電力と消費電力量との少なくとも一方を計測する。通信アダプタ２２は、計測ユニット２１で計測された計測値を、計測システム２０の計測値として需要家施設５に設けられたコントローラ１へ送信する。
【００２４】
要するに、計測システム２０の計測値は、需要家施設５における複数の分岐回路７０の各々について、計測ユニット２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば正時から３０分間隔）で積算した消費電力量である。
【００２５】
（２．２）情報配信システム
次に、本実施形態の情報配信システム１０の構成について説明する。
【００２６】
情報配信システム１０は、上述したように、本実施形態ではコントローラ１にて構成されている。コントローラ１は、ルータ７を介してネットワーク４に接続されている。コントローラ１は、本実施形態では、ＨＥＭＳ（home energy management system）のコントローラである。
【００２７】
コントローラ１は、計測システム２０で計測された消費電力量を、少なくとも分岐ブレーカ６２（分岐回路７０）ごとに時系列データとして取得する。コントローラ１は、所定のアルゴリズムに従って分岐ブレーカ６２（分岐回路７０）ごと取得した消費電力量のうち空調機器６３ａの消費電力量を用いて、空調機器６３ａの動作状態としてオン状態またはオフ状態を逐次取得する。
【００２８】
コントローラ１は、図１に示すように、処理部１１と、記憶部１２と、第１通信部１３と、第２通信部１４（出力部）とを備える。コントローラ１は、ＣＰＵ（Central Processing Unit）及びメモリを有している。ＣＰＵがメモリに格納されているプログラムを実行することにより、処理部１１の機能を実現する。プログラムは、ここではインターネットなどの電気通信回線を通じて、あるいはメモリカードなどの記録媒体に記録されて提供されるが、コンピュータのメモリに予め記録されていてもよい。
【００２９】
処理部１１は、図１に示すように、第１取得部１５と第２取得部１６と第３取得部１７と生成部１８とを有している。
【００３０】
第１取得部１５は、空調機器６３ａが設けられた部屋５ａ内に設置された温湿度センサ５０から、温湿度センサ５０が検出した温度及び湿度を、第１通信部１３を介して逐次取得する。ここで、逐次取得するという概念には、定期的に取得する場合、不定期に取得する場合、及び空調機器６３ａがオン状態のときとオフ状態の時とで取得期間を変更して定期的または不定期に取得する場合を含む。
【００３１】
第２取得部１６は、空調機器６３ａの動作状態を逐次取得する。具体的には、第２取得部１６は、計測システム２０から受け取った複数の分岐回路７０の計測値（消費電力量）のうち空調機器６３ａを含む分岐回路７０の計測値に基づいて、空調機器６３ａの動作状態を取得する。例えば、空調機器６３ａを含む分岐回路７０の計測値が所定の閾値を超えていない場合には、第２取得部１６は、動作状態としてオフ状態を取得する。空調機器６３ａを含む分岐回路７０の計測値が所定の閾値を超えている場合には、第２取得部１６は、動作状態としてオン状態を取得する。
【００３２】
第３取得部１７は、空調機器６３ａの設定温度を第１通信部１３を介して無線通信により取得する。
【００３３】
生成部１８は、所定期間（例えば、１日）において、第１取得部１５で取得された温度及び湿度と、第２取得部１６で取得された空調機器６３ａの動作状態と、第３取得部１７で取得された空調機器６３ａの設定温度とに基づいて、表示情報を生成する。なお、所定期間は、１日より短い期間であってもよい。ここで、表示情報は、所定期間における需要家施設５内の温度変化及び湿度変化と、所定期間における空調機器６３ａの動作状態とを含み、表示システム３０（情報端末装置３）に表示させる画面（コンテンツ）の情報である。生成部１８は、第１取得部１５で取得された温度及び湿度と、第３取得部１７で取得された設定温度とを、それぞれが取得された時刻に基づく時系列データとして表示情報に含める。これにより、温度変化及び湿度変化と、空調機器６３ａの設定温度とを折れ線グラフとして情報端末装置３に表示させることができる。生成部１８は、第２取得部１６で取得された空調機器６３ａの動作状態に基づいて、所定期間のうち空調機器６３ａがオン状態である期間（オン状態期間）とオフ状態である期間（オフ状態期間）とを求める。生成部１８は、オン状態期間とオフ状態期間とを、表示情報に含める。これにより、生成部１８は、需要家施設５内の温湿度と設定温度とのそれぞれの時系列データ、及びオン状態期間とオフ状態期間を含む表示情報を生成することができる。また、生成部１８は、所定期間の日付（年月日）を表示情報に含めることが好ましい。また、生成部１８は、温度変化、湿度変化及び設定温度を視覚的に区別するために、温度変化、湿度変化及び設定温度に対して互いに異なる線種を表す情報を表示情報に含めてもよい。さらに、オン状態期間とオフ状態期間とを区別するために、温度変化、湿度変化及び設定温度の折れ線グラフが表示される背景の色が異なるように、オン状態期間とオフ状態期間とで互いに異なる背景色の色情報を表示情報（背景色情報）に含めてもよい。
【００３４】
記憶部１２は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１２は、温湿度センサ５０から取得した温度及び湿度の情報、計測システム２０から取得した需要家施設５における消費電力量（計測値）の情報、温湿度センサ５０から取得した温度及び湿度の情報、空調機器６３ａから取得した設定温度の情報等を記憶する。つまり、第１取得部１５で取得された温度及び湿度の情報、第２取得部１６で取得された需要家施設５における消費電力量（計測値）の情報、及び第３取得部１７で取得された空調機器６３ａの設定温度が、記憶部１２に記憶される。上述した生成部１８は、記憶部１２で記憶されている各情報を用いて、表示情報を生成する。
【００３５】
第１通信部１３は、計測システム２０の通信アダプタ２２、温湿度センサ５０及び空調機器６３ａと無線で通信を行うための通信インタフェースである。第１通信部１３は、例えば、無線局の免許が不要な小電力無線の通信インタフェースである。この種の小電力無線については、用途等に応じて使用する周波数帯域や空中線電力等の仕様が各国で規定されている。日本国においては、９２０ＭＨｚ帯または４２０ＭＨｚ帯の電波を使用する小電力無線（特定小電力無線）が規定されている。第１通信部１３は、無線通信により通信アダプタ２２から幹線及び複数の分岐回路７０の各々の計測値（消費電力量）を受け取る。第１通信部１３は、無線通信により温湿度センサ５０から、温湿度センサ５０が検出した温度及び湿度を受け取る。第１通信部１３は、無線通信により空調機器６３ａから設定温度を受け取る。
【００３６】
第２通信部１４は、例えばイーサネット（登録商標）規格に準拠した通信インタフェースである。第２通信部１４は、ルータ７を介して情報端末装置３と通信可能である。ルータ７は、ブロードバンドルータであり、例えばＷｉ−Ｆｉ（登録商標）規格に準拠した無線ＬＡＮのインタフェースも備えている。したがって、コントローラ１は、ルータ７を介して、無線ＬＡＮ（Local Area Network）の通信インタフェースを備えるスマートフォン等の情報端末装置８と通信可能である。また、コントローラ１は、ルータ７及びネットワーク４を介してスマートフォン等の情報端末装置８ａ、サーバ装置４０と通信可能である。なお、情報端末装置８ａは、例えば通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、情報端末装置８ａは、公衆回線ＬＡＮを介してネットワーク４に接続されてもよい。
【００３７】
なお、コントローラ１は、ルータ７を介さずに情報端末装置３と直接的に通信可能に構成されてもよい。コントローラ１と情報端末装置３との通信方式は、有線通信に限らず、例えばＷｉ−Ｆｉ（登録商標）、または免許を必要としない小電力無線（特定小電力無線）等の無線通信であってもよい。
【００３８】
（２．３）表示システム
次に、本実施形態の表示システム３０の構成について説明する。本実施形態では、表示システム３０は、上述したように情報端末装置３にて構成されている。
【００３９】
情報端末装置３は、一例として表示部３１を備えるＨＥＭＳ専用のモニタ装置である。情報端末装置３は、ＣＰＵ（Central Processing Unit）及びメモリを有するコンピュータを主構成としており、ＣＰＵがメモリに格納されているプログラムを実行することにより、コンピュータを表示制御部３２として機能させる。プログラムは、ここではインターネットなどの電気通信回線を通じて、あるいはメモリカードなどの記録媒体に記録されて提供されるが、コンピュータのメモリに予め記録されていてもよい。ここでいう表示制御部３２は、表示部３１に表示させる画面を作成し、表示部３１を制御することにより、作成した画面を表示部３１に表示させる機能を持つ。つまり、情報端末装置３は、専用のアプリケーションソフトをインストールし、このアプリケーションソフトを起動することにより、表示部３１を制御するための表示制御部３２としての機能を実現する。
【００４０】
情報端末装置３は、表示部３１及び表示制御部３２の他、通信部３３、入力部３４及び記憶部３５をさらに備えている。
【００４１】
通信部３３は、ルータ７に接続されることで、コントローラ１との間の通信を可能にする。情報端末装置３は、需要家施設５に設けられたＨＥＭＳ専用のモニタ装置であるから、通信部３３は、イーサネット（登録商標）規格に準拠した通信インタフェースであり、ルータ７を介してコントローラ１と通信可能である。
【００４２】
入力部３４は、顧客（情報端末装置３の所有者）の操作を受け付ける機能を有している。本実施形態では、情報端末装置３はタッチパネルディスプレイを搭載したスマートフォンであり、タッチパネルディスプレイが表示部３１及び入力部３４として機能する。ただし、入力部３４は、タッチパネルディスプレイに限らず、例えばキーボードやポインティングデバイス、メカニカルなスイッチなどであってもよい。
【００４３】
記憶部３５は、例えばフラッシュメモリなどの電気的に書換可能な不揮発性の半導体メモリで構成される。
【００４４】
情報端末装置３は、上記構成によりコントローラ１で出力された表示情報を表示することができる。
【００４５】
なお、本実施形態では、図２に示す情報端末装置８または情報端末装置８ａを表示システムとすることが可能である。情報端末装置８，８ａは、情報端末装置３と通信部３３の構成が異なるが、情報端末装置３と同様の機能を有していればよく、情報端末装置８，８ａの説明は省略する。
【００４６】
（３）処理
ここでは、情報配信システム１０（コントローラ１）及び表示システム３０（情報端末装置３）が行う処理について説明する。
【００４７】
（３．１）情報配信システム
先ず、情報配信システム１０が行う表示情報の生成及び出力について説明する。
【００４８】
第１取得部１５は、温湿度センサ５０から、温湿度センサ５０が検出した温度及び湿度を、第１通信部１３を介して逐次取得し、記憶部１２に蓄積する。
【００４９】
第２取得部１６は、空調機器６３ａを含む分岐回路７０の計測値が所定の閾値を超えていない場合には、動作状態としてオフ状態を取得し、記憶部１２に蓄積する。空調機器６３ａを含む分岐回路７０の計測値が所定の閾値を超えている場合には、第２取得部１６は、動作状態としてオン状態を取得し、記憶部１２に蓄積する。
【００５０】
第３取得部１７は、空調機器６３ａの設定温度を第１通信部１３を介して取得し、記憶部１２に蓄積する。
【００５１】
生成部１８は、記憶部１２で記憶されている所定期間（例えば、１日）における温度及び湿度と、空調機器６３ａの動作状態及び設定温度とに基づいて、表示情報を生成する。具体的には、生成部１８は、空調機器６３ａに対する計測値が計測された時刻に基づいて、所定期間のうち空調機器６３ａのオン状態期間とオフ状態期間とを求める。生成部１８は、温度変化を表す温度の時系列データと、湿度変化を表す時系列データと、設定温度を表す時系列データと、空調機器６３ａのオン状態期間及びオフ状態期間と、所定期間の日付を含む表示情報を生成する。さらに、生成部１８は、温度変化、湿度変化及び設定温度に対して互いに異なる線種を表す情報と、背景色情報とを表示情報に含める。
【００５２】
第２通信部１４は、生成部１８で生成された表示情報を、表示システム３０（情報端末装置３）へ出力する。
【００５３】
（３．２）表示システム
次に、表示システム３０の処理について説明する。
【００５４】
表示システム３０としての情報端末装置３の入力部３４は、情報端末装置３の所有者（需要家施設５の利用者）による表示情報の表示に係る操作を受け付ける。通信部３３は、入力部３４で表示情報の表示に係る操作が受け付けられると、情報配信システム１０（コントローラ１）に表示情報を要求する。このとき、情報配信システム１０は、例えば要求を受け付けた日の０時から要求を受け付けた時点までの期間を所定期間として表示情報を生成する。
【００５５】
表示制御部３２は、通信部３３を介して情報配信システム１０から表示情報を受け取ると、表示情報に含まれる温度変化、湿度変化及び設定温度を表示部３１に表示させる。このとき、表示制御部３２は、線種の情報に基づいて、温度変化、湿度変化及び設定温度のそれぞれの折れ線グラフの色を変えて表示部３１に表示させる。さらに、表示制御部３２は、オン状態期間とオフ状態期間とのそれぞれに対応付けられた背景色情報に基づいて温度変化、湿度変化及び設定温度のそれぞれの折れ線グラフの背景色を、表示部３１に表示させる。
【００５６】
なお、情報端末装置８及び情報端末装置８ａのいずれかを表示システム３０とした場合であっても、情報端末装置３と同様に、表示情報を表示することができる。
【００５７】
（４）表示画面
ここでは、表示情報を表示する際の表示画面について、図４を用いて説明する。図４の画面において、参照符号と、領域を囲む一点鎖線とは、説明のために記載しているのみであり、実際の画面には表示されない。
【００５８】
図４では、表示システム３０は、表示システム３０が表示情報の表示の要求を受け付けた日の０時から要求を受け付けた時点までの期間を所定期間として、表示情報を表示画面１００に表示している一例を示す。ここでは、要求を受け付けた日時を“２０１６年６月１３日  １０時”としている。
【００５９】
表示システム３０で表示される表示情報の表示画面１００には、図４に示すように、タイトル領域１０１、第１日付表示領域１０２、結果表示領域１０３、第２日付表示領域１０４、ボタン１０５〜１１０が設けられている。
【００６０】
タイトル領域１０１では、表示される画面の名称、ここでは“温湿度”が表示される。第１日付表示領域１０２では、現在の日時が表示される。
【００６１】
結果表示領域１０３では、コントローラ１で作成された表示情報が表示される。具体的には、横軸を時刻（時）、縦軸を温度（℃）及び湿度（％）として、所定期間における温度変化、湿度変化及び空調機器６３ａの設定温度が、折れ線グラフで表示される。本実施形態では、線１２０が温度変化を、線１２１が湿度変化を、線１２２が設定温度を、表している。また、結果表示領域１０３では、背景色情報に基づいて空調機器６３ａのオン状態期間とオフ状態期間とを色分けして表示する。本実施形態では、色分けされた複数の期間１２３〜１２６のうち期間１２３，１２５がオン状態期間を、期間１２４，１２６がオフ状態期間を、表している。これにより、表示画面１００では、温度変化、湿度変化、オン状態期間及びオフ状態期間を、同一時間軸上に表示することができる。
【００６２】
第２日付表示領域１０４には、情報端末装置３の所有者によって選択された日付が表示される。結果表示領域１０３では、第２日付表示領域１０４で表示された日付における温度変化、湿度変化及び設定温度が表示される。
【００６３】
ボタン１０５，１０６は、第２日付表示領域１０４で表示する日付を選択するために用いられる。例えば、第２日付表示領域１０４で現在表示されている日付を前日に変更したい場合には、ボタン１０５がタップされる。第２日付表示領域１０４で現在表示されている日付を翌日に変更したい場合には、ボタン１０６がタップされる。なお、第２日付表示領域１０４で表示されている日付と、第１日付表示領域１０２で表示されている日付とが同一である場合にはボタン１０６がタップされても日付が変更されないように、表示制御部３２は、画面表示の制御を行っている。
【００６４】
ボタン１０５，１０６により、第２日付表示領域１０４で表示する日付が変更された場合、表示システム３０は、変更後の日付に対応する表示情報を情報配信システム１０（コントローラ１）に要求する。情報配信システム１０は、変更後の日付において取得した温度、湿度、設定温度、オン状態期間及びオフ状態期間に基づく表示情報を生成し、表示システム３０に出力する。これにより、表示システム３０は、変更後の日付に対応する表示情報を表示することができる。
【００６５】
ボタン１０７，１０８は、結果表示領域１０３で１日分の温度変化等を表示するか、特定の時間帯の温度変化等を表示するかを切り替えるためのボタンである。ボタン１０７がタップ（選択）されると、結果表示領域１０３では特定の時間帯の温度変化、湿度変化及び設定温度が表示される。ボタン１０８がタップ（選択）されると、結果表示領域１０３では１日分の温度変化、湿度変化及び設定温度が表示される。図４では、ボタン１０８が選択された場合の表示の一例を示している。
【００６６】
ボタン１０９，１１０は、表示画面１００の表示を終了させるためのボタンである。ボタン１０９がタップされると、表示制御部３２は、表示画面１００から表示画面１００が表示される直前に表示されていた画面へ遷移するよう、画面の制御を行う。ボタン１１０がタップされると、表示制御部３２は、メニュー画面、例えば表示情報の表示、及び他の１つ情報の表示のうちいずれか１つを選択するための画面に遷移するよう、画面制御を行う。
【００６７】
（５）変形例
以下に、上記実施形態の変形例について列記する。なお、以下に説明する変形例は、上記実施形態と適宜組み合わせて適用可能である。
【００６８】
上記実施形態において、需要家施設５の外に温湿度センサ５０ａを設けてもよい（図５参照）。コントローラ１（情報配信システム１０）の第１取得部１５は、温湿度センサ５０ａで計測された外部の温度（外部温度）及び湿度（外部湿度）を逐次取得し、記憶部１２に記憶する。生成部１８は、外部温度及び外部湿度をさらに含む表示情報を生成する。表示システム３０は、表示情報をもとに、温湿度センサ５０で計測された温度（内部温度）及び湿度（内部湿度）のそれぞれの変化、外部温度及び外部湿度の変化、設定温度、オン状態期間及びオフ状態期間を表示する。
【００６９】
上記実施形態において、表示画面１００の結果表示領域１０３では、温度変化、オン状態期間及びオフ状態期間が少なくとも表示されていればよい。
【００７０】
上記実施形態において、生成部１８は、生成した表示情報で表される温度変化と、オン状態期間及びオフ状態期間とをもとに、空調機器６３ａの動作に関するアドバイスを生成し、第２通信部１４を介して表示システム３０に出力してもよい。表示システム３０は、コントローラ１から取得したアドバイスを、表示画面１００に含めて表示、または他の画面で表示することで、需要家施設５の利用者にアドバイスを提供する。例えば、生成部１８は、冬季において空調機器６３ａのオフ状態期間における温度変化が１〜２℃である場合、需要家施設５内の温度にあまり変化がないとしてオフ状態とする時刻を早めることを勧めるメッセージをアドバイス情報として生成する。表示システム３０では、オフ状態とする時刻を早めることを勧めるメッセージを表示する。これにより、需要家施設５の利用者に省エネを促すことができる。
【００７１】
上記実施形態において、生成部１８は、第１取得部１５で温度及び湿度から定期的に不快指数を求め、定期的に求められた不快指数を、求めた時刻に基づく時系列データとして表示情報に含めて表示システム３０に出力してもよい。このとき、表示システム３０では、所定期間における温度変化、湿度変化、設定温度、オン状態期間及びオフ状態期間に加えて、不快指数の変化を折れ線グラフで表示画面１００に含めて表示部３１に表示する。
【００７２】
上記実施形態では、表示画面１００で表示される温度、湿度及び設定温度を区別するために互いに異なる線種で表示するとした。しかしながら、温度、湿度及び設定温度を区別するための表示方法は線種に限らない。例えば、互いに異なる色の線で温度、湿度及び設定温度を表示してもよい。つまり、表示画面１００で表示される温度、湿度及び設定温度を区別できればよく、その表示方法については限定されない。
【００７３】
また、上記実施形態では、表示画面１００で表示される温度及び湿度の変化が、オン状態期間とオフ状態期間とで視覚的にわかるように、それぞれの折れ線グラフの表示態様として、オン状態期間の背景色とオフ状態期間の背景色とを異なる色とした。しかしながら、温度及び湿度の変化についてオン状態区間とオフ状態区間とで区別するための表示方法として互いに異なる背景色を用いることに限らない。例えば、温度の変化を表す折れ線グラフの表示態様として、オン状態区間とオフ状態区間とで折れ線グラフの色を変更してもよいし、線種を変更してもよい。湿度の変化についても同様に、湿度の変化を表す折れ線グラフの表示態様として、オン状態区間とオフ状態区間とで折れ線グラフの色を変更してもよいし、線種を変更してもよい。
【００７４】
また、上記実施形態では、温度及び湿度の変化を折れ線グラフで表示したが、表示方法は、これに限定されない。温度及び湿度の変化を棒グラフ等のグラフで表示してもよい。
【００７５】
上記実施形態では、コントローラ１は、表示情報の要求を表示システム３０から受け付けると、表示情報を生成した。しかしながら、表示情報の生成のタイミングは、これに限定されない。コントローラ１の生成部１８は、毎日所定時間に、前日分の表示情報を生成し、記憶部１２に記憶してもよい。例えば、生成部１８は、毎日１時に前日分の表示情報を生成する。これにより、コントローラ１は、表示画面１００のボタン１０５，１０６がタップされることにより選択された日付に対応する表示情報を、表示システム３０に迅速に出力することができる。
【００７６】
上記実施形態において、表示情報は、コントローラ１（情報配信システム１０）の生成部１８で生成されるとしたが、この構成に限らず、複数の装置に分散して作成されてもよい。例えば、表示情報は、コントローラ１、サーバ装置４０、情報端末装置３，８，８ａのうち２以上の装置で分散して生成されてもよい。この場合、コントローラ１が省略されても、サーバ装置４０または情報端末装置３，８，８ａで表示情報が生成され、生成された表示情報に応じた表示画面が作成される。さらに、生成部１８は、コントローラ１及びサーバ装置４０のそれぞれに設けられてもよい。この場合、表示情報の配信先（情報端末装置３，８，８ａのいずれか）によって、コントローラ１とサーバ装置４０とのいずれかが表示情報を作成するかが決まってもよい。例えば、表示情報の配信先が情報端末装置３または情報端末装置８である場合にはコントローラ１が表示情報を作成し、配信先が情報端末装置８ａである場合にはサーバ装置４０が表示情報を作成する。
【００７７】
さらに、情報配信システム１０は、コントローラ１、サーバ装置４０、情報端末装置３，８，８ａのうち少なくとも１つの装置によって構成されてもよい。情報配信システム１０の少なくとも一部の機能は、例えばクラウド（クラウドコンピューティング）によって実現されてもよい。
【００７８】
また、コントローラ１は、需要家施設５に設置されたスマートメータと通信可能に構成されてもよい。この場合、計測システム２０で計測される計測値の代わりに、スマートメータで計測された値を用いてもよい。
【００７９】
また、分岐回路ごとの計測には、主幹ブレーカ６１に設けられた電流センサ２３または上記スマートメータを用いてもよい。
【００８０】
また、上記実施形態では、コントローラ１は、温湿度センサ５０から温湿度センサ５０が検出した温度及び湿度を取得した。温度及び湿度の取得経路は、これに限らない。例えば、空調機器６３ａに温湿度センサが設けられている場合には、コントローラ１は、空調機器６３ａから空調機器６３ａの温湿度センサが検出した温度及び湿度を、無線通信により取得してもよい。
【００８１】
また、上記実施形態では、温度及び湿度は温湿度センサで双方とも検出したが、この構成に限定されない。温度及び湿度は、温度を検出するセンサ（温度センサ）と湿度を検出するセンサ（湿度センサ）とで、それぞれ個別に検出されてもよい。
【００８２】
また、上記実施形態において、表示情報に、空調機器６３ａの運転モードを含めてもよい。ここで、運転モードとは、空調機器６３ａが暖房運転しているか冷房運転をしているかを表す情報である。この場合、コントローラ１（情報配信システム１０）の第３取得部１７は、空調機器６３ａの設定温度の他、上述した運転モードを、空調機器６３ａから取得する。生成部１８は、運転モードをさらに含めた表示情報を生成し、表示システム３０に出力する。表示システム３０は、表示情報を表示画面１００に表示する際に、運転モードに基づく情報を表示する。例えば、表示システム３０の表示制御部３２は、運転モードが暖房運転を表している場合には、表示画面１００において“暖房運転”を表示部３１に表示させる。表示システム３０の表示制御部３２は、運転モードが冷房運転を表している場合には、表示画面１００において“冷房運転”を表示部３１に表示させる。または、オン状態期間において、暖房運転が行われている場合と冷房運転が行われている場合とで背景色及び温度変化を表す線の色の少なくとも一方の表示色を変えてもよい。
【００８３】
また、上記実施形態において、第２取得部１６は、空調機器６３ａの消費電力量に基づいて、空調機器６３ａの動作状態を取得している。しかしながら、動作状態の取得方法は、これに限定されない。空調機器６３ａがＥＣＨＯＮＥＴ  Ｌｉｔｅ（登録商標）に準拠した通信インタフェースを有している場合には、第２取得部１６は、第１通信部１３を介して、空調機器６３ａの動作状態を空調機器６３ａから直接取得してもよい。
【００８４】
（６）まとめ
以上説明したように本発明に係る第１の態様の情報配信システム１０（コントローラ１）は、第１取得部１５と、第２取得部１６と、生成部１８と、出力部（第２通信部１４）とを備える。第１取得部１５は、需要家施設５内であって空調機器６３ａが設けられた部屋の温度を取得する。第２取得部１６は、空調機器６３ａの動作状態を逐次取得する。生成部１８は、所定期間において第１取得部１５で取得された温度と所定期間内において第２取得部１６で取得された空調機器６３ａの動作状態とに基づいて、表示情報を生成する。表示情報は、表示部３１（８１，８１ａ）に表示させる表示画面１００の情報であって所定期間における部屋５ａの温度変化と所定期間における空調機器６３ａの動作状態とを含む。出力部は、生成部１８で生成された表示情報を出力する。
【００８５】
この構成によると、情報配信システム１０は、部屋５ａの温度変化と空調機器６３ａの動作状態とを含む表示情報を出力している。つまり、表示情報には、空調機器６３ａが動作している、動作していないに関わらず部屋５ａの温度変化が含まれている。したがって、空調機器６３ａを停止させた後であっても空調機器を動作させたことによる効果を需要家施設５の利用者に通知可能とすることができる。
【００８６】
本発明に係る第２の態様の情報配信システム１０では、第１の態様において、第１取得部１５は、さらに、部屋５ａの湿度を取得する。生成部１８は、所定期間における前記部屋５ａの湿度変化をさらに含む表示情報を生成する。
【００８７】
この構成によると、空調機器６３ａを停止させた後であっても部屋５ａの湿度変化を需要家施設５の利用者に提示することができる。これにより、需要家施設５の利用者は、空調機器６３ａが動作している場合と、動作していない場合とで、湿度の変化を知ることができるので、空調機器６３ａを停止させた後であっても空調機器を動作させたことによる効果を知ることができる。
【００８８】
本発明に係る第３の態様の情報配信システム１０では、第２の態様において、生成部１８は、第１取得部１５で取得された温度及び湿度に応じた不快指数をさらに含む表示情報を生成する。
【００８９】
この構成によると、空調機器６３ａの動作状態に関わらず、不快指数を需要家施設５の利用者に提示することができる。これにより、需要家施設５の利用者は、空調機器６３ａが動作している場合と、動作していない場合とで、不快指数の変化を知ることができるので、空調機器６３ａを停止させた後であっても空調機器を動作させたことによる効果を知ることができる。
【００９０】
本発明に係る第４の態様の情報配信システム１０では、第１〜第３のいずれかの態様において、生成部１８は、空調機器６３ａの設定温度をさらに含む表示情報を生成する。
【００９１】
この構成によると、部屋５ａの温度変化と空調機器６３ａの設定温度との関係を需要家施設５の利用者に提示することができる。例えば、需要家施設５の利用者は、空調機器６３ａの停止後、部屋５ａの温度と設定温度との差分の時間変化を知ることができる。これにより、部屋５ａを温めた場合には部屋５ａにおける保温効果を、部屋ａを冷却した場合には部屋５ａの保冷効果を知ることができる。
【００９２】
本発明に係る第５の態様の情報配信システム１０では、第１〜第４のいずれかの態様において、空調機器６３ａの状態は、空調機器６３ａが動作しているオン状態及び空調機器６３ａが停止しているオフ状態のいずれかの状態である。第２取得部１６は、空調機器６３ａの消費電力量が所定の閾値を超えている場合にはオン状態を動作状態として取得する。第２取得部１６は、空調機器６３ａの消費電力量が閾値を超えていない場合にはオフ状態を動作状態として取得する。
【００９３】
この構成によると、情報配信システム１０は、空調機器６３ａの消費電力量を用いて、空調機器６３ａのオン状態及びオフ状態を特定することができる。
【００９４】
本発明に係る第６の態様の情報配信システム１０では、第５の態様において、表示情報は、グラフで前記温度変化を前記表示部３１（８１，８１ａ）に表示させるための情報である。生成部１８は、所定期間のうち動作状態がオン状態であるオン状態期間と、所定期間のうち動作状態がオフ状態であるオフ状態期間とで、グラフを表示させる際の表示態様を変更するための情報を、表示情報に含める。
【００９５】
この構成によると、情報配信システム１０は、需要家施設５の利用者に空調機器６３ａのオン状態期間とオフ状態期間とを視覚的に区別させて、表示部３１（８１，８１ａ）に温度変化を表示させることができる。
【００９６】
本発明に係る第７の態様の情報配信システム１０では、第１〜第６のいずれかの態様において、第１取得部１５は、さらに、需要家施設５外の外部温度を取得する。生成部１８は、所定期間において第１取得部で取得された外部温度に基づいた所定期間における需要家施設５外の温度変化をさらに含む表示情報を生成する。
【００９７】
この構成によると、情報配信システム１０は、需要家施設５内の部屋５ａの温度変化と、需要家施設５外の温度変化（外部の温度変化）との違いを需要家施設５の利用者に提示することができる。
【００９８】
本発明に係る第８の態様の情報配信システム１０では、第１〜第７のいずれかの態様において、出力部（第２通信部１４）は、さらに、所定期間における部屋５ａの温度変化と、所定期間における空調機器６３ａの動作状態とに基づくアドバイスを出力する。アドバイスは、空調機器６３ａの動作に関するアドバイスである。
【００９９】
この構成によると、情報配信システム１０は、空調機器６３ａの動作に関するアドバイスを需要家施設５の利用者に提示することができる。
【０１００】
本発明に係る第９の態様の情報配信方法は、情報端末装置３（８，８ａ）に情報を表示させる情報配信方法である。配信方法は、第１取得ステップと、第２取得ステップと、生成ステップと、出力ステップとを備える。第１取得ステップは、需要家施設５内であって空調機器６３ａが設けられた部屋の温度を取得する。第２取得ステップは、空調機器６３ａの動作状態を逐次取得する。生成ステップは、所定期間において第１取得ステップで取得された温度と所定期間内において第２取得ステップで取得された空調機器６３ａの動作状態とに基づいて、表示情報を生成する。表示情報は、表示部３１（８１，８１ａ）に表示させる表示画面１００の情報であって所定期間における部屋５ａの温度変化と所定期間における空調機器６３ａの動作状態とを含む。出力ステップは、生成ステップで生成された表示情報を出力する。
【０１０１】
この情報配信方法によると、空調機器６３ａを停止させた後であっても空調機器を動作させたことによる効果を需要家施設５の利用者に通知可能とすることができる。
【０１０２】
本発明に係る第１０の態様のプログラムは、コンピュータに、第１取得ステップと、第２取得ステップと、生成ステップと、出力ステップとを実行させるためのプログラムである。第１取得ステップは。需要家施設５内であって空調機器６３ａが設けられた部屋５ａの温度を取得する。第２取得ステップは、空調機器６３ａの動作状態を逐次取得する。生成ステップは、所定期間において第１取得ステップで取得された温度と、所定期間において第２取得ステップで取得された空調機器６３ａの動作状態とに基づいて、表示情報を生成する。表示情報は、表示部３１（８１，８１ａ）に表示させる表示画面１００の情報であって所定期間における部屋５ａの温度変化と所定期間における空調機器６３ａの動作状態とを含む。出力ステップは、生成ステップで生成された表示情報を出力する。
【０１０３】
このプログラムによると、空調機器６３ａを停止させた後であっても空調機器を動作させたことによる効果を需要家施設５の利用者に通知可能とすることができる。
【符号の説明】
【０１０４】
１    コントローラ
３，８，８ａ  情報端末装置
５    需要家施設
５ａ  部屋
１０    情報配信システム
１３    第１通信部
１４    第２通信部（出力部）
１５    第１取得部
１６    第２取得部
１８    生成部
３０    表示システム
３１，８１，８１ａ    表示部
６３ａ  空調機器
１００    表示画面
【図１】
2018004200.tif 000003
【図２】
2018004200.tif 000004
【図３】
2018004200.tif 000005
【図４】
2018004200.tif 000006
【図５】
2018004200.tif 000007